(57)【要約】【課題】ステレオ撮影時に１回のシャッタ操作による２回の連続した撮影の時間間隔を最適に設定してステレオ撮影を良好に行える眼科撮影装置を提供する。【解決手段】操作部６９でステレオ撮影時の撮影モード、撮影光量が設定され、また使用する撮影用ＣＣＤが選択される。制御部６５は、設定された撮影モード、撮影光量、選択されたＣＣＤに応じて不揮発性メモリ７８に格納された発光時間間隔（Ｔ）テーブル７８ａからストロボ１５の発光時間間隔（Ｔ）を検索し、検索された発光時間間隔を２回の撮影の時間間隔として設定する。そしてシャッタ操作（オン）の信号に応じて、ストロボ発光電力供給部７７に対して、上記時間間隔で２発のトリガ信号を出力する。これにより、設定された時間間隔（Ｔ）でストロボ１５が２回発光して立体視用の２枚の眼底画像が取得される。【選択図】図６
2008055073.tif 000002
【特許請求の範囲】
【請求項１】
１回のシャッタ操作で被検眼に対して１回目の撮影を行い、続いて撮影絞りの位置を変えて２回目の撮影を行い、立体視用の眼底画像を取得する眼科撮影装置であって、
撮影モード設定手段と、
設定された撮影モードに応じて１回目の撮影から２回目の撮影までの時間間隔を設定する時間間隔設定手段と、
を設けたことを特徴とする眼科撮影装置。
【請求項２】
１回のシャッタ操作で被検眼に対して１回目の撮影を行い、続いて撮影絞りの位置を変えて２回目の撮影を行い、立体視用の眼底画像を取得する眼科撮影装置であって、
撮影光量設定手段と、
設定された撮影光量に応じて１回目の撮影から２回目の撮影までの時間間隔を設定する時間間隔設定手段と、
を設けたことを特徴とする眼科撮影装置。
【請求項３】
１回のシャッタ操作で被検眼に対して１回目の撮影を行い、続いて撮影絞りの位置を変えて２回目の撮影を行い、立体視用の眼底画像を取得する眼科撮影装置であって、
撮影手段を選択する選択手段と、
選択された撮影手段に応じて１回目の撮影から２回目の撮影までの時間間隔を設定する時間間隔設定手段と、
を設けたことを特徴とする眼科撮影装置。
【請求項４】
１回のシャッタ操作で被検眼に対して１回目の撮影を行い、続いて撮影絞りの位置を変えて２回目の撮影を行い、立体視用の眼底画像を取得する眼科撮影装置であって、
撮影モード設定手段と、
撮影光量設定手段と、
撮影手段を選択する選択手段と、
設定された撮影モード、設定された撮影光量、及び選択された撮影手段のいずれか２つあるいは３つに応じて１回目の撮影から２回目の撮影までの時間間隔を設定する時間間隔設定手段と、
を設けたことを特徴とする眼科撮影装置。
【請求項５】
前記時間間隔を設定する場合、設定された撮影モード、設定された撮影光量、及び選択された撮影手段のそれぞれについて時間間隔を求め、その内最長の時間間隔を１回目の撮影から２回目の撮影までの時間間隔として設定することを特徴とする請求項４に記載の眼科撮影装置。
【発明の詳細な説明】
【技術分野】
【０００１】
本発明は、眼科撮影装置に関し、更に詳細には、１回のシャッタ操作で被検眼に対して１回目の撮影を行い、続いて撮影絞りの位置を変えて２回目の撮影を行い、立体視用の眼底画像を取得する眼科撮影装置に関する。
【背景技術】
【０００２】
従来から、緑内障の診断のために眼底の立体形状を把握することが求められており、そのためにステレオ撮影という同一被検眼に対し視差を持った２枚（複数）の画像を撮影して、それらの画像を対にして表示することにより、被検眼を立体視することが行われている。
【０００３】
この視差を持った立体視用の眼底画像を撮影可能な眼底カメラでは、対物レンズに対して被検眼の前眼部と共役（瞳孔と共役）な位置に、左右２つの孔（開口）が形成された撮影絞り（２孔絞り）が設けられ、各孔を通過した眼底からの光束をそれぞれフィルム面ないしは撮像素子の撮像面に左右の画像として撮影し、立体視用の画像を得ている。
【０００４】
このような眼底カメラで、１回のシャッタ操作に応じて、撮影絞りの一方の孔からの撮影を他方の孔からの撮影に切り換えて、短い時間間隔で２回の撮影を連続的に行い、左右用の２枚の画像を取得することが行われている（特許文献１、２）。
【特許文献１】特開昭５９−９０５４７号公報
【特許文献２】特開平１０−７５９３２号公報
【発明の開示】
【発明が解決しようとする課題】
【０００５】
しかしながら、従来の眼底カメラでは、ステレオ撮影で１回のシャッタ操作に応じて行う１回目の撮影から２回目の撮影までの時間間隔が固定されていた。このため、撮影モード（散瞳カラー／無散瞳カラー／蛍光など）や、ＣＣＤなどの撮影手段の種類、或いは撮影光量などの撮影条件によっては、必要以上に１回目から２回目までの時間間隔が長くなる場合があった。この時間間隔が長いと、固視微動の影響による撮影位置ズレが生じる。また、１回目の撮影で被検眼に照射される撮影光によって被検眼が縮瞳され、２回目の撮影に悪影響を及ぼす場合がある。この他にもステレオ撮影にとって良くない要素が増えてしまう。
【０００６】
本発明は、このような問題を解決するためになされたもので、１回目の撮影から２回目の撮影までの時間間隔を最適化して良好な立体視用の眼底画像を取得することが可能な眼科撮影装置を提供することを課題とする。
【課題を解決するための手段】
【０００７】
本発明は、１回のシャッタ操作で被検眼に対して１回目の撮影を行い、続いて撮影絞りの位置を変えて２回目の撮影を行い、立体視用の眼底画像を取得する眼科撮影装置であって、
設定された撮影モード、設定された撮影光量、及び選択された撮影手段のいずれか１つ、あるいはいずれか２つ、あるいは３つに応じて１回目の撮影から２回目の撮影までの時間間隔を設定することを特徴とする。
【発明の効果】
【０００８】
本発明の眼科撮影装置によれば、ステレオ撮影時に、１回のシャッタ操作で連続して行われる２回の撮影の時間間隔を最適化することができ、良好な立体視用の眼底画像を取得することが可能となる。例えば、設定された撮影モード、設定された撮影光量あるいは選択された撮影手段に応じて時間間隔を最適化できるので、縮瞳や固視微動などの影響を排除して、良好なステレオ撮影を行うことができる。
【発明を実施するための最良の形態】
【０００９】
以下、図面に示す実施の形態に基づいて本発明を詳細に説明する。
【実施例】
【００１０】
図１において、本発明の眼科撮影装置は、被検眼眼底を撮影する眼底カメラ１０、撮影された眼底画像を記録する記録装置６１、６４、撮影された眼底画像ないし記録された眼底画像を表示するモニタ６２、６３などにより構成される。
【００１１】
一点鎖線で囲まれて図示された眼底カメラ１０には、赤外光並びに可視光の照明光を発光する観察ランプ１１が球面ミラー１２の曲率中心に配置され、観察ランプ１１並びに球面ミラー１２からの光は、光路に挿脱可能な可視光カット赤外光透過フィルタ１３、コンデンサーレンズ１４、撮影用光源であるストロボ１５、コンデンサーレンズ１６を経て、全反射ミラー１７に入射する。
【００１２】
全反射ミラー１７で反射した照明光は、照明絞りとしてのリングスリット２１を経てリレーレンズ２２を通過し、穴あき全反射ミラー（以下、穴あきミラーと略す）２３で反射され、対物レンズ２４を経て被検眼Ｅの前眼部（瞳）Ｅｐに入射する。
【００１３】
リングスリット２１は、照明光学系内で被検眼の前眼部（瞳）Ｅｐとほぼ共役な位置に配置され、図２に示すように、３種類のリングスリット２１ａ、２１ｂ、２１ｃが用いられる。リングスリット２１ａは、無散瞳モードのときに使用され、ステレオで蛍光撮影を行うときは、リングスリット２１ｂが、またその他のときはリングスリット２１ｃが光路に挿入される。リングスリット２１ａと２１ｃの内径はほぼ同じで外径は無散瞳のものが小さくなっており、またリングスリット２１ｂと２１ｃの外径はほぼ同じになっている。
【００１４】
なお、照明光学系の光路には、蛍光撮影時にエキサイタフィルタ１８が挿入される。
【００１５】
また、前眼部でアライメントを行うときのために、前眼部Ｅｐを赤外光で照明する赤外ＬＥＤ（発光ダイオード）からなる光源２７と、前眼部を撮影するために、前眼部を微弱白色光で照明するＬＥＤからなる光源２８が配置される。
【００１６】
リングスリット２１を通過した照明光で照明された眼底Ｅｒからの反射光は、対物レンズ２４、穴あきミラー２３、固定絞り３１、移動絞りユニット３２、合焦レンズ３５、結像レンズ３６、ハーフミラー３７、変倍レンズ３８ａを通過してリターンミラー３９ａに入射する。
【００１７】
リターンミラー３９ａ及び３９ｃが図示の位置にあり、リターンミラー３９ｂが光路から離脱しているときは、眼底からの反射光が赤外光に感度を有する眼底と共役な位置にある観察用撮影手段としてのＣＣＤ４０に入射し、眼底がＣＣＤ４０により撮影される。またリターンミラー３９ａが光路から離脱すると、眼底からの反射光が可視光に感度を有する眼底と共役な撮影手段としてのＣＣＤ４１ａに入射し、眼底がＣＣＤ４１ａにより撮影される。さらに、リターンミラー３９ａが図示の位置にあり、リターンミラー３９ｂ及び３９ｃが光路から離脱すると、眼底からの反射光が可視光に感度を有する眼底と共役な撮影手段としてのＣＣＤ４１ｂに入射し、眼底がＣＣＤ４１ｂにより撮影される。ＣＣＤ４１ａと４１ｂは、その種類、具体的には画素数（解像度）が異なり、ここではＣＣＤ４１ａは例えば５００万画素で高解像度であり、一方ＣＣＤ４１ｂは例えば２００万画素で解像度はＣＣＤ４１ａより低くなっている。
【００１８】
また、リターンミラー３９ａ及び３９ｂが図示の位置にあるときは、眼底からの反射光が接眼レンズ７２に導かれ、検者が接眼レンズ７２で眼底を観察することができる。
【００１９】
穴あきミラー２３は、図３（Ｃ）に示すように、横長楕円形状の開口２３ａを中心部に設けた円形の全反射ミラーであり、固定絞り３１は、図３（Ｂ）に示すように、中心部に単眼撮影用の撮影絞り３１ａを設け、その両側にフォーカス指標投影用並びにステレオ撮影用の撮影絞り（２孔絞り）３１ｂ、３１ｃを設けた絞りである。固定絞り３１は、穴あきミラー２３とほぼ同じ大きさの円形形状であり、穴あきミラー２３と中心を合わせて穴あきミラー２３に密着させて固定される（図５参照）。各撮影絞り３１ａ、３１ｂ、３１ｃは、被検眼前眼部（瞳）とほぼ共役な位置に配置される。その場合、撮影絞り３１ａは、その中心が対物レンズ２４の光軸（撮影光学系の光軸）２６と一致する位置（第１の位置）に配置され、撮影絞り３１ｂは、立体視用の左右の画像を得るために撮影光路を瞳共役位置で左右に分割したときの左側光路位置（第２の位置）に、また撮影絞り３１ｃは、その右側光路位置（第３の位置）にそれぞれ配置される。穴あきミラー２３の開口２３ａの大きさは、穴あきミラー２３と固定絞り３１の中心を合わせた状態では、撮影絞り３１ａ、３１ｂ、３１ｃの開口をその開口２３ａ内に包含できる大きさとなっている。
【００２０】
また、移動絞りユニット３２は、図３（Ａ）に示すように、単眼撮影時の撮影光用切り欠け部３２ａと、ステレオ撮影時の左側光路用の切り欠け部３２ｂと、ステレオ撮影時の右側光路用の切り欠け部３２ｃを有し、切り欠け部３２ａの両側には、フォーカス指標を眼底に向けて反射させる反射プリズム３２ｄ、３２ｅ（図５も参照）が設けられる。
【００２１】
移動絞りユニット３２は、制御部６５の制御により単眼撮影、ステレオ撮影、及び３枚連続撮影の撮影方法に応じて固定絞り３１上を上下方向に移動される。なお、この移動は制御部６５に制御される不図示のソレノイド或いはステッピングモータなどの駆動手段の駆動により行われる。移動絞りユニット３２が、図４（Ａ）に示した位置に移動すると、切り欠け部３２ａが撮影絞り３１ａの開口を開放し、撮影絞り３１ａが選択される。また、図４（Ｂ）、図４（Ｃ）に示した位置に移動すると、切り欠け部３２ｂ、３２ｃが撮影絞り３１ｂ、３１ｃの開口をそれぞれ開放し、撮影絞り３１ｂあるいは３１ｃが選択される。
【００２２】
このように、制御部６５は、移動絞りユニット３２を順次移動させることにより、撮影絞りを切り替え、第１の位置にある撮影絞り３１ａ、第２の位置にある撮影絞り３１ｂ、第３の位置にある撮影絞り３１ｃのいずれか１つを選択する。例えば、単眼撮影のように、１枚の画像を取得する場合には、撮影絞り３１ａが選択され、また、ステレオ撮影のように、左右２枚の画像を取得する場合には、撮影絞り３１ｂと３１ｃが前後して選択され、３枚連続撮影の場合には、撮影絞り３１ａ、３１ｂ、３１ｃが前後して選択される。なお、眼科撮影装置の電源がオンされたとき、初期設定として、移動絞りユニット３２は図４（Ａ）に示した位置にあり、撮影絞り３１ａが選択された状態となっている。
【００２３】
図１に戻って、対物レンズ２４と穴あきミラー２３間の光路には、前眼部レンズ３０が挿脱可能に配置され、前眼部レンズ３０が該光路に挿入されると、照明用光源２７で照明された前眼部Ｅｐの像がＣＣＤ４０に結像され、前眼部Ｅｐの像によりアライメントが行われるようになっている。
【００２４】
また、眼底カメラには、ワーキングディスタンス（ＷＤ）調整用の指標光源としてのＷＤ用ＬＥＤ７３が設けられ、これから発せられた光がレンズ７４により集光されてＷＤファイバー７５の後端に導かれ、ＷＤファイバー７５を通り、その先端から対物レンズ２４を介して指標光として被検眼Ｅの角膜に投影される。検者は、この指標光の角膜からの反射光を見ながらワーキングディスタンスが適正となるようにアライメント操作を行うことができる。
【００２５】
また、眼底カメラには、眼底にピントを合わせるのを容易にするためにフォーカス指標投影光学系が設けられる。この投影光学系において、赤外ＬＥＤからなるフォーカス指標用光源５０からの指標光は、レンズ５１、ミラー５２、レンズ５３を通過し、移動絞りユニット３２に固定された反射プリズム３２ｄと３２ｅにより光路が２分されて、眼底Ｅｒに投影される（図５も参照）。このとき、眼底でピントがあう場合には、反射プリズム３２ｄ、３２ｅで反射したフォーカス指標の眼底における像が一点になるように、またピントがズレている場合には、分離するように構成される。フォーカス調整のために、合焦レンズ３５が移動されると、それと連動してレンズ５３の位置が移動し、眼底Ｅｒの指標の分離状態が変化するので、フォーカス指標の像を観察することにより、検者は、眼底にピントを合わせることができる。
【００２６】
なお、合焦レンズ３５の被検眼側には、蛍光撮影時にバリアフィルタ３４が挿入される。
【００２７】
また、被検眼を眼底カメラに対して固視させるために、複数の固視灯５５ａ〜５５ｄからなる内部固視灯５５が設けられる。撮影する被検眼が左眼か右眼かにより、また眼底の撮影位置（乳頭付近か、離れた位置かなど）により固視灯５５ａ〜５５ｄのうちいずれか１つが点灯される。点灯された固視灯からの光は、レンズ５６を通過してハーフミラー３７により反射されて撮影レンズ３６、合焦レンズ３５、撮影絞り３１ａ（３１ｂ、３１ｃ）、穴あきミラー２３、対物レンズ２４を通過して眼底Ｅｒに投影されるので、患者はこの内部固視灯を固視することにより、眼底カメラに対して被検眼を所定の位置に保持させることができる。なお、図面では、固視灯５５ａ〜５５ｄは、紙面に並置されて図示されているが、実際には、紙面に垂直に並置される。
【００２８】
ＣＣＤ４０は、可視光カット赤外光透過フィルタ１３を通過した赤外光で照明された眼底、あるいは光源２７からの赤外光で照明された前眼部を撮影し、その像は、ＣＰＵなどで構成される制御演算部６０に入力され、その画像がモニタ６２に動画像として表示される。検者は、モニタ６２に表示される画像を見て、アライメントやフォーカス調整を行うことができる。また、立体視専用ディスプレイとしてステレオモニタ６３が設けられ、検者は、このステレオモニタ６３を介して左右の画像を観察することにより眼底を立体視することができる。
【００２９】
また、ＣＣＤ４１ａ及び４１ｂは、制御部６５に制御される切換器７６を介していずれかが選択され、選択されたＣＣＤ４１ａあるいは４１ｂは、シャッタスイッチ６６を操作したときストロボ１５で照明された眼底を静止画として撮影する。この眼底像は、一旦高速なメモリ６１に格納された後、制御演算部６０を介して外部記録装置としての低速なハードディスク（ＨＤＤ）６４に記録（ファイリング）されたり、あるいはモニタ６２ないしステレオモニタ６３に表示される。
【００３０】
また、キーボード６７、マウス６８などの入力手段が設けられ、これらの入力手段を介して、種々のデータが入力できるようになっている。
【００３１】
また、眼底カメラには、ＣＰＵなどからなる制御部６５が設けられ、この制御部６５は、制御演算部６０と接続されて互いに信号を交換する。また、シャッタスイッチ６６が操作されたときに、制御部６５はリターンミラー３９ａ、ミラー３９ｂ、３９ｃの挿脱を制御し、ストロボ１５を適量な光量で発光させ、眼底がＣＣＤ４１ａあるいは４１ｂにより撮影されるようにする。また、制御部６５は、可視光カット赤外光透過フィルタ１３、エキサイタフィルタ１８、バリアフィルタ３４、前眼部レンズ３０、変倍レンズ３８ａ、３８ｂの光路への挿脱を制御し、移動絞りユニット３２の移動を制御する。
【００３２】
また、眼底カメラには、操作部（操作パネル）６９が設けられ、この操作部６９には、単眼撮影、ステレオ撮影、３枚連続撮影の撮影方法を選択する選択スイッチが設けられる。また、操作部６９には、図６に示したように、撮影モード（無散瞳カラー／散瞳カラー／散瞳蛍光など）を設定する撮影モード設定手段、ＣＣＤ４１ａと４１ｂの何れを撮影に使用するかを選択するＣＣＤ選択手段、及びストロボ１５の撮影光量Ｆｉをｉ＝１〜ｎのｎ段階（ｎは所定の整数）のいずれかに設定する撮影光量設定手段が設けられる。さらに、制御部６９には、前眼部レンズ挿脱スイッチ、撮影位置選択スイッチなどが配置され、操作部６９で選択された各スイッチあるいは各手段からの情報が制御部６５に入力される。
【００３３】
更に、撮影する被検眼が左眼か右眼かを検知する左右眼検知部７０が設けられ、検知された左眼か右眼かの情報が制御部６５に入力される。
【００３４】
また、制御部６５には不揮発性メモリ７８が接続されており、このメモリ７８には、図６に示すように、発光時間間隔（Ｔ）テーブル７８ａが格納されている。このテーブル７８ａには、図７に示したように、眼底撮影に使用するＣＣＤ４１ａ及び４１ｂと、無散瞳カラー、散瞳カラー、散瞳蛍光の撮影モード、及びｎ段階のストロボ光量（撮影光量）Ｆｉのそれぞれに対して、ステレオ撮影時のストロボ１５の２回の発光時間間隔（Ｔ）、つまり１回目の撮影から２回目の撮影までの時間間隔が格納されている。なお、図７では、ｎ段階のストロボ光量の組み合わせについて示していないが、充電のために１００〜５００msecと２００〜５００msecの値がｎ段階で異なるものとしている。また、後述のように無散瞳カラー撮影ではＣＣＤ４１ａはデータ転送速度の関係で使用できず、ＣＣＤ４１ｂが強制的に使用されるため、無散瞳カラー撮影とＣＣＤ４１ａの組み合わせのデータはない。
【００３５】
図６において、時間間隔設定手段としての制御部６５は、ステレオ撮影時に、操作部６９で設定された撮影モード、選択されたＣＣＤ、及び設定された撮影光量のいずれか１つ、あるいはいずれか２つ、あるいはその３つのそれぞれに応じて、発光時間間隔（Ｔ）テーブル７８ａから、発光時間間隔（Ｔ）のデータを検索する。そしてシャッタスイッチ６６の操作（オン）によるシャッタ信号が入力されると、制御部６５は、検索された発光時間間隔（Ｔ）を１回目の撮影から２回目の撮影までの時間間隔として設定し、その時間間隔でトリガ信号をストロボ発光電力供給部７７に出力する。ストロボ発光電力供給部７７は、このトリガ信号に同期して、ストロボ１５に対して発光用電力を２回供給する。これにより、ストロボ１５が前記発光時間間隔（Ｔ）で２回発光し、その時間間隔（Ｔ）で２回連写が行われる。
【００３６】
なお、上記説明で、撮影手段により連写時間間隔を変化させるのは、以下の理由による。
【００３７】
撮影用ＣＣＤは高画素数な程、データ転送時間が長く必要であり、低画素数な程、転送時間が短くて済む。転送時間が長いと連写時間間隔を長くせざるを得ない。例えば、２００万画素なら連写時間間隔が１００msec程度であれば十分だが、５００万画素だと２００msec程度必要である。従って、撮影用ＣＣＤが５００万画素で高解像度のＣＣＤ４１ａか、２００万画素でより解像度の低いＣＣＤ４１ｂかによって、最低限必要とされる連写時間間隔が変わってくる。
【００３８】
また、撮影モードによっても連写時間間隔を変える必要がある。
【００３９】
例えば、撮影モードが無散瞳カラーの場合は、１回目の撮影で被検眼に照射される撮影光によって被検眼が縮瞳する前に２回目の撮影を行うため、連写時間間隔を１００msec程度にしなければならない。
【００４０】
しかし被検者に散瞳剤を点眼して撮影する散瞳モードや蛍光モードでは、上記の縮瞳の制約がなく、連写時間間隔を１００msec程度に限らなくてもよい。
【００４１】
なお、無散瞳カラーモードの場合は、連写時間間隔を１００msec程度にする必要があるため、それよりデータ転送時間がかかるＣＣＤ４１ａは使用できず、ＣＣＤ４１ｂを強制的に使用する必要がある。
【００４２】
また、蛍光撮影モードの場合は一般的にストロボ光を３００Ｗの光量で発光させる。そのため、連写時間間隔を短くするには、ストロボ発光電力供給部７７において、充電・発光回路を２系統用意するか、あるいは２回の発光の前に６００Ｗ分充電しておき３００Ｗで２回発光させる、などの方法があるが、いずれもコスト高になるという問題がある。
【００４３】
これに対して現実的にコストに見合う方法として、１つの充電・発光回路において３００Ｗで２回発光させるために、１回目の発光直後にコンデンサヘの再充電を行い、２回目の発光を行う、という方法がある。この方法では、再充電に必要な時間が約５００msecであるため、必然的に連写時間間隔は５００msecとなる。
【００４４】
一方、カラー撮影の場合、通常ストロボ光は１００Ｗ以内で発光させるので、最初に３００Ｗ充電しておけば、または再充電を行えば、１回目に１００Ｗで発光させた後すぐに２回目の１００Ｗでの発光が実現できる。ただし実際には撮影用ＣＣＤのデータ転送時間に合わせて連写時間間隔は少なくとも１００msecに設定する必要がある。
【００４５】
更に、撮影光量によっても連写時間間隔を変える必要がある。その理由は以下の通りである。
【００４６】
上述の説明では、蛍光撮影時の撮影光量（ストロボ光量）を３００Ｗと設定したため、連写時間間隔として５００msec必要となった。しかし被検者により散瞳状況が良好な場合や、蛍光撮影条件（時間帯）が良い場合には、明るい画像となるので１００〜１５０Ｗ程度の撮影光量で撮影が可能となる。１００〜１５０Ｗの２回発光であれば、十分に、１００msecの時間間隔で２回の撮影を行うことができる。このように撮影光量によっても連写時間間隔が変わってくる。
【００４７】
以上のように、それぞれ操作部６９で設定される撮影モード、撮影光量及び選択された撮影手段に応じて制御部６５により最低限必要な発光時間間隔（Ｔ）が設定され、ステレオ撮影時この時間間隔で１回目と２回目の撮影が行われる。
【００４８】
図８は、このステレオ撮影時の動作の流れを示している。以下に、各撮影モードごとにその動作を説明する。なお、いずれの撮影モードでも、ステップＳ３でシャッタ操作がなされる前にはアライメント及びフォーカス調整を完了しているものとする。
【００４９】
操作部６９で無散瞳カラーの撮影モードが設定されると（ステップＳ１）、無散瞳撮影用のリングスリット２１ａと可視光カット赤外光透過フィルタ１３が光路に挿入され、リターンミラー３９ｂが光路から離脱して観察手段としてＣＣＤ４０が選択される。この撮影モードでは、先述したデータ転送時間の関係で、撮影手段としてＣＣＤ４１ａは使用できないので、ＣＣＤ４１ｂが強制的に選択される（ステップＳ１）。なお、この場合にユーザーがＣＣＤ４１ａを選択したら、警告音などでユーザーに設定変更を促すようにしてもよい。
【００５０】
続いて、ステップＳ２で、図７に示したように、発光時間間隔（Ｔ）が１００msecに設定される。
【００５１】
検者がシャッタスイッチ６６を操作すると（ステップＳ３）、移動絞りユニット３２が図４（Ｂ）の撮影絞り３１ｂが選択される位置に移動されるともに（ステップＳ４）、リターンミラー３９ｃが光路から離脱させられた後、ストロボ１５がまず１回発光して、１回目の撮影が行われ、ＣＣＤ４１ｂにより１枚目の眼底画像が撮影される（ステップＳ５）。この撮影された眼底画像はメモリ６１に転送される。
【００５２】
その後、１００msecが経過する間に移動絞りユニット３２が図４（Ｃ）の撮影絞り３１ｃが選択される位置に移動される（ステップＳ６）。そして１００msecが経過したときに再度ストロボ１５が発光して２回目の撮影が行われ、ＣＣＤ４１ｂにより２枚目の限底画像が撮影される（ステップＳ７）。この２枚目の眼底画像もメモリ６１に転送される。
【００５３】
その後、移動絞りユニット３２が図４（Ａ）の撮影絞り３１ａが選択される位置に戻されると共に、リターンミラー３９ｃは元の光路上の位置に戻される。メモリ６１に格納された２つの眼底画像はそれぞれ対となる識別情報と関連付けられてＨＤＤ６４に保存される。
【００５４】
一方、散瞳カラーの撮影モードが選択されると（ステップＳ１）、リングスリット２１ｃが光路に挿入され、可視光カット赤外光透過フィルタ１３が光路から離脱させられる。また、リターンミラー３９ｂが光路に挿入されて観察手段として接眼レンズ７２が選択される。撮影手段としてＣＣＤ４１ａまたはＣＣＤ４１ｂが検者により選択される（ステップＳ１）。発光時間間隔（Ｔ）は、図７に示したように、ＣＣＤ４１ａが選択された場合は２００msecに、また、ＣＣＤ４１ｂが選択された場合は１００msecに設定される（ステップＳ２）。
【００５５】
シャッタスイッチ６６が操作されると（ステップＳ３）、ＣＣＤ４１ｂが選択されている場合は、リターンミラー３９ｂ、３９ｃが光路から離脱し、ストロボ１５が１回発光して、撮影絞り３１ｂを介してＣＣＤ４１ｂにより１回目の撮影が行われ（ステップＳ４、Ｓ５）、その後１００msecが経過したときに再度ストロボ１５が発光して撮影絞り３１ｃを介して２回目の撮影が行われる（ステップＳ６、Ｓ７）。一方、ＣＣＤ４１ａが選択されている場合は、リターンミラー３９ａが光路から離脱して、ＣＣＤ４１ａにより２００msecのストロボ発光時間間隔で撮影が行われること以外は、ＣＣＤ４１ｂが選択された場合と同様である。いずれも、連写された２枚の眼底画像は、無散瞳カラーの場合と同様に、メモリ６１に格納された後、識別情報と関連付けられてＨＤＤ６４に保存される。
【００５６】
一方、蛍光散瞳の撮影モードが選択されると（ステップＳ１）、蛍光撮影用のリングスリット２１ｂとエキサイタフィルタ１８が光路に挿入され、可視光カット赤外光透過フィルタ１３が光路から離脱させられる。また、リターンミラー３９ｂが光路に挿入されて観察手段として接眼レンズ７２が選択され、撮影手段としてＣＣＤ４１ａまたは４１ｂがユーザーの指定により選択される（ステップＳ１）。
【００５７】
また、この撮影モードの初期段階では撮影光量が３００Ｗに設定されるため、発光時間間隔（Ｔ）は５００msecに設定される（ステップＳ２）。
【００５８】
検者によるシャッタ操作（ステップＳ３）があると、バリアフィルタ３４が光路に挿入され、それぞれ撮影絞り３１ｂと３１ｃを介した１回目と２回目の撮影が５００msecの時間間隔で行われる（ステップＳ４〜Ｓ７）。このとき、リターンミラー３９ａ〜３９ｃの光路からの挿脱状態は、散瞳カラーのときと同様に行われる。
【００５９】
蛍光撮影モードでは、他の撮影モードと異なり、通常検者がシャッタスイッチ６６を押しっぱなしにすることにより、約１秒ごとに撮影を繰り返すので、ステレオ撮影でも約１秒ごとに１回のステレオ撮影動作を繰り返す。
【００６０】
こうして蛍光撮影は進んでいくが、撮影から３０秒ぐらいすると静注された蛍光剤が眼底にほぼ行き渡るので、明るい画像となる。そこで検者は撮影光量を少し低く設定し直す事が一般的に行なわれている。撮影光量が低くなるとストロボ発光電力供給部７７のコンデンサの充電時間が短くて済むため、発光時間間隔（Ｔ）は５００msecよりも短くすることが可能となる。従って、発光時間間隔（Ｔ）を自動的に最短時間間隔になるようにしておくことが好ましい。
【００６１】
ただし５００万画素のＣＣＤ４１ａが選択されている場合には、データ転送時間の問題があるので、２００msecより短くできない。
【００６２】
一方、２００万画素のＣＣＤ４１ｂが選択されている場合は、発光時間間隔（Ｔ）の設定に関してデータ転送時間の影響はほとんどなく、撮影光量によって設定することができる。つまり当初は３００Ｗで発光するので発光時間間隔（Ｔ）は５００msecであるが、その後１５０〜２００Ｗぐらいの光量で撮影できるようになれば２００〜３００msec程度とし、撮影の最後の方では１００〜１５０Ｗぐらいの光量で撮影するので１００msecで撮影することができる。
【００６３】
この蛍光撮影モードで連写された２枚の眼底画像も、他の撮影モードの場合と同様に、メモリ６１に格納された後、識別情報と関連付けられてＨＤＤ６４に保存される。
【００６４】
なお、以上説明した実施例では、制御部６５が発光時間間隔（Ｔ）テーブル７８ａを用いて発光時間間隔（Ｔ）を設定するものとしたが、制御部６５が発光時間間隔（Ｔ）を演算により算出して設定するようにしてもよい。
【図面の簡単な説明】
【００６５】
【図１】本発明の実施例における眼科撮影装置の構成を示す構成図である。
【図２】同装置に用いられるリングスリットの複数の撮影モードに応じた複数のパターンを示す説明図である。
【図３】（Ａ）は移動絞りユニットの構成を示す平面図、（Ｂ）は固定絞りの構成を示す平面図、（Ｃ）は穴あき全反射ミラーの構成を示す平面図である。
【図４】移動絞りユニットの移動により異なる撮影絞りが選択される状態を示す説明図である。
【図５】穴あき全反射ミラー、固定絞り、及び移動絞りユニットを通過する光線の経路を示した説明図である。
【図６】ステレオ撮影時のストロボの発光時間間隔を設定する制御系の構成と動作を説明するブロック図である。
【図７】図６中の発光時間間隔（Ｔ）テーブルの内容を示す表図である。
【図８】眼科撮影装置のステレオ撮影時の動作の概略の流れを示すフローチャート図である。
【符号の説明】
【００６６】
１０  眼底カメラ
１１  観察ランプ
１５  ストロボ
２１  リングスリット
２３  穴あき全反射ミラー
２４  対物レンズ
３１  固定絞り
３２  移動絞りユニット
３２ｄ，３２ｅ  反射プリズム
３９ａ〜３９ｃ  リターンミラー
４０，４１ａ，４１ｂ  ＣＣＤ
６５  制御部
６９  操作部
７７  ストロボ発光電力供給部
７８  不揮発性メモリ
７８ａ  発光時間間隔（Ｔ）テーブル
【図１】
2008055073.tif 000003
【図２】
2008055073.tif 000004
【図３】
2008055073.tif 000005
【図４】
2008055073.tif 000006
【図５】
2008055073.tif 000007
【図６】
2008055073.tif 000008
【図７】
2008055073.tif 000009
【図８】
2008055073.tif 000010